(57)【要約】【課題】印刷装置に関する処理を実行する際、利用者による操作の煩わしさを抑制する。【解決手段】外部操作装置６０は、操作部４２を有する操作パネル４０を備えた印刷装置１０を操作可能であり、かつ、印刷装置１０と別体である。外部操作装置６０は、利用者が操作する外部操作部８０と、外部操作部８０の操作態様に基づいて印刷装置１０に処理を実行させる制御装置９０とを備えている。制御装置９０は、操作部４２が複数回操作された場合に印刷装置１０に実行させる所定の第１の処理が記憶された記憶部９１と、利用者による外部操作部８０の操作態様を検出する操作態様検出部９１ａと、操作態様検出部９１ａによって検出された操作態様が所定の第１操作態様である場合、第１の処理を印刷装置１０に実行させる処理実行部９２とを備えている。【選択図】図６
2019098703.tif 000002
【特許請求の範囲】
【請求項１】
操作部を有する操作パネルを備えた印刷装置を操作可能であり、かつ、前記印刷装置と別体である外部操作装置であって、
利用者が操作する外部操作部と、
前記外部操作部の操作態様に基づいて、前記印刷装置に処理を実行させる制御装置と、
を備え、
前記制御装置は、
前記印刷装置の前記操作部が複数回操作された場合に前記印刷装置に実行させる所定の第１の処理が記憶された記憶部と、
利用者による前記外部操作部の前記操作態様を検出する操作態様検出部と、
前記操作態様検出部によって検出された前記操作態様が所定の第１操作態様である場合、前記第１の処理を前記印刷装置に実行させる処理実行部と、
を備えた、外部操作装置。
【請求項２】
表示画面を備え、
前記処理実行部は、前記第１の処理に関する情報を前記表示画面に表示する、請求項１に記載された外部操作装置。
【請求項３】
前記外部操作部、前記制御装置、および、前記表示画面が設けられた本体を備えた、請求項２に記載された外部操作装置。
【請求項４】
前記制御装置は、マイコンボードによって構成されている、請求項１から３までの何れか１つに記載された外部操作装置。
【請求項５】
前記外部操作部は、前記第１の処理の設定を実行する実行ボタンを有し、
前記処理実行部は、前記実行ボタンが利用者によって押されることで、前記第１の処理を実行する、請求項１から４までの何れか１つに記載された外部操作装置。
【請求項６】
前記記憶部には、前記印刷装置の前記操作部が複数回操作された場合に前記印刷装置に実行させる所定の第２の処理が記憶され、
前記処理実行部は、前記操作態様検出部によって検出された前記操作態様が所定の第２操作態様である場合、前記第２の処理を前記印刷装置に実行させる、請求項１から５までの何れか１つに記載された外部操作装置。
【請求項７】
前記第１の処理の実行は、前記操作部が操作されることで実行される第１のコマンドと第２のコマンドが少なくとも順に実行されることで実行され、
前記処理実行部は、前記第１の処理を前記印刷装置に実行させる際、前記第１のコマンドを実行した後に、前記第２のコマンドを少なくとも実行する、請求項１から６までの何れか１つに記載された外部操作装置。
【請求項８】
請求項１から７までの何れか１つに記載された外部操作装置と、
前記印刷装置と、
を備えた、印刷システム。
【請求項９】
前記操作パネルは、印刷表示画面を備え、
前記印刷装置は、前記印刷表示画面に、所定の第１の言語で印刷に関する情報を表示する表示制御部を備え、
前記外部操作装置は、表示画面を備え、
前記制御装置は、前記表示画面に、前記第１の言語とは異なる第２の言語で印刷に関する情報を表示する表示変換部を備えた、請求項８に記載された印刷システム。
【請求項１０】
前記第１の処理の設定は、前記操作部が操作されることで実行される第１のコマンドと第２のコマンドが少なくとも順に実行されることで設定され、
前記操作部は、決定ボタンを有し、
前記第１のコマンドおよび前記第２のコマンドは、前記決定ボタンが押されることで決定される、請求項８または９に記載された印刷システム。
【請求項１１】
前記操作部は、カーソルキーを有し、
前記第１のコマンドおよび前記第２のコマンドによる処理の実行は、前記カーソルキーおよび前記決定ボタンの何れかが押されることで決定される信号である操作信号を複数回送信することで実行され、
前記処理実行部は、前記第１の処理を前記印刷装置に実行させる際、前記外部操作部が操作されることによって、複数の前記操作信号を前記印刷装置に送信する、請求項１０に記載された印刷システム。
【発明の詳細な説明】
【技術分野】
【０００１】
本発明は、外部操作装置およびそれを備えた印刷システムに関する。
【背景技術】
【０００２】
従来から、インクジェット式の印刷装置が知られている。例えば、特許文献１に開示された印刷装置は、記録媒体が載置されるプラテンと、プラテンに向かってインクが吐出されるインクヘッドとを備えている。このような印刷装置は、インクヘッドが主走査方向に移動している間に、インクヘッドからインクを吐出させるように構成されている。また、このような印刷装置は、プラテンに載置された記録媒体を、主走査方向と直交する副走査方向に移動させるように構成されている。
【先行技術文献】
【特許文献】
【０００３】
【特許文献１】特開２００４−１９６５３７号公報
【発明の概要】
【発明が解決しようとする課題】
【０００４】
ところで、上述のような印刷装置では、印刷の設定など印刷装置に関する処理を実行する際、印刷装置の本体に設けられた操作パネルを利用者が操作することで、処理が実行される。このような操作パネルには、複数のボタンを有する操作部が備えられている。利用者は、処理を実行する際、操作部を複数回操作することで、所望の処理を選択し、かつ、処理に関する必要なパラメータを適切な値に設定していた。そのため、処理を実行する際、操作部を複数回操作するため、利用者にとって操作が煩わしいことがあった。
【０００５】
本発明はかかる点に鑑みてなされたものであり、その目的は、印刷装置に関する処理を実行する際、利用者による操作の煩わしさを抑制可能な外部操作装置およびそれを備えた印刷システムを提供することである。
【課題を解決するための手段】
【０００６】
本発明に係る外部操作装置は、操作部を有する操作パネルを備えた印刷装置を操作可能であり、かつ、前記印刷装置と別体である外部操作装置である。前記外部操作装置は、利用者が操作する外部操作部と、前記外部操作部の操作態様に基づいて、前記印刷装置に処理を実行させる制御装置と、を備えている。前記制御装置は、記憶部と、操作態様検出部と、処理実行部と、を備えている。前記記憶部には、前記印刷装置の前記操作部が複数回操作された場合に前記印刷装置に実行させる所定の第１の処理が記憶されている。前記操作態様検出部は、利用者による前記外部操作部の前記操作態様を検出する。前記処理実行部は、前記操作態様検出部によって検出された前記操作態様が所定の第１操作態様である場合、前記第１の処理を前記印刷装置に実行させる。
【０００７】
前記外部操作装置において、「操作態様」とは、利用者が外部操作部を操作したときの操作内容のことをいう。前記外部操作装置によれば、利用者は、外部操作部を操作することで、第１の処理を実行することができる。ここで、第１の処理とは、印刷装置の操作部を複数回操作することで印刷装置に実行させる処理である。よって、利用者は、印刷装置の操作部を操作して第１の処理を実行する場合と比較して、外部操作部を操作することで、操作回数を少なくして第１の処理を実行することができる。したがって、利用者による操作の煩わしさを抑制することができる。
【発明の効果】
【０００８】
本発明によれば、印刷装置に関する処理を実行する際、利用者による操作の煩わしさを抑制することができる。
【図面の簡単な説明】
【０００９】
【図１】実施形態に係る印刷システムの印刷装置の正面図である。
【図２】図１のＩＩ−ＩＩ断面に沿う印刷装置の断面図である。
【図３】キャリッジの記録媒体と対向する面の構成を示す模式図である。
【図４】操作パネルを示す模式図である。
【図５】印刷システムのブロック図である。
【図６】外部操作装置を示す模式図である。
【図７】外部操作装置を使用して、第１の処理を実行する手順を示したフローチャートである。
【図８】操作パネルの印刷表示画面の模式図であり、印刷に関する情報が第１の言語で表示されている状態を示す図である。
【図９】外部操作装置の表示画面の模式図であり、印刷に関する情報が第２の言語で表示されている状態を示す図である。
【発明を実施するための形態】
【００１０】
以下、図面を参照しながら、本発明の実施形態に係る外部操作装置と、印刷装置とを備えた印刷システムについて説明する。なお、ここで説明される実施形態は、当然ながら本発明を特に限定することを意図したものではない。また、同じ作用を奏する部材・部位には同じ符号を付し、重複する説明は適宜省略または簡略化される。
【００１１】
図１は、本実施形態に係る印刷システム１００の印刷装置１０の正面図である。図２は、図１のＩＩ−ＩＩ断面に沿う印刷装置１０の断面図である。図１に示すように、印刷システム１００は、印刷装置１０と、外部操作装置６０とを備えている。
【００１２】
まず、印刷装置１０について説明する。以下の説明では、印刷システム１００の印刷装置１０を正面から見たときに、印刷装置１０から遠ざかる方を前方、印刷装置１０に近づく方を後方とする。左、右、上、下とは、印刷装置１０を正面から見たときの左、右、上、下をそれぞれ意味するものとする。また、図面中の符号Ｆ、Ｒｒ、Ｌ、Ｒ、Ｕ、Ｄは、それぞれ前、後、左、右、上、下を意味するものとする。また、図面中の符号Ｙは主走査方向を示している。ここでは、主走査方向Ｙは左右方向である。図面中の符号Ｘは副走査方向を示している。ここでは、副走査方向Ｘは前後方向であり、平面視において主走査方向Ｙと直交している。図面中の符号Ｚは、高さ方向、すなわち、上下方向を示している。ただし、これら方向は説明の便宜上定めた方向に過ぎず、印刷装置１０の設置態様を何ら限定するものではなく、本発明を何ら限定するものでもない。
【００１３】
図１に示すように、印刷装置１０は、記録媒体５にインクを吐出することで、記録媒体５に対して印刷を行う装置である。ここでは、印刷装置１０は、インクジェット式のプリンタである。例えば、印刷装置１０は、家庭用のプリンタと比較すると主走査方向Ｙに長い、いわゆる大型のプリンタである。例えば、印刷装置１０は業務用のプリンタである。ただし、印刷装置１０は家庭用のプリンタであってもよい。印刷装置１０は、ロール状の記録媒体５を順次前方に移動させると共に、主走査方向Ｙに移動するインクヘッド３５（図１参照）からインクを吐出させることによって、記録媒体５に画像を印刷する。
【００１４】
記録媒体５は、画像が印刷される対象物である。なお、記録媒体５の種類は特に限定されない。記録媒体５は、例えば普通紙やインクジェット用印刷紙などの紙類であってもよい。また、記録媒体５は、ポリ塩化ビニル（polyvinyl chloride、PVC）またはポリエステルなどの樹脂製またはガラス製などの透明なシートであってもよいし、金属製またはゴム製などのシートであってもよい。
【００１５】
図１に示すように、印刷装置１０は、印刷本体１０ａと、脚１１とを備えている。印刷本体１０ａは、主走査方向Ｙに延びたケーシングを有する。脚１１は、印刷本体１０ａを支持するものであり、印刷本体１０ａの下面に設けられている。
【００１６】
印刷装置１０は、プラテン１６を備えている。プラテン１６は、記録媒体５への印刷を行う際、記録媒体５を支持するものである。プラテン１６には、記録媒体５が載置される。記録媒体５への印刷は、プラテン１６上で行われる。ここでは、プラテン１６は、主走査方向Ｙに延びている。
【００１７】
本実施形態では、図２に示すように、プラテン１６は、メインプラテン１７ａと、上流側プラテン１７ｂと、下流側プラテン１７ｃとを有している。メインプラテン１７ａ上において、画像の印刷が行われる。メインプラテン１７ａは、インクヘッド３５（図１参照）の下方に配置されている。メインプラテン１７ａの上面は、平らな面である。上流側プラテン１７ｂは、メインプラテン１７ａよりも上流側に配置されており、メインプラテン１７ａの後方に位置している。上流側プラテン１７ｂは、記録媒体５をメインプラテン１７ａに案内するものである。上流側プラテン１７ｂは、例えば横断面円弧状に形成されている。上流側プラテン１７ｂは、メインプラテン１７ａから離れるほど下方に向かうように湾曲している。下流側プラテン１７ｃは、メインプラテン１７ａよりも下流側に配置されており、メインプラテン１７ａの前方に位置している。下流側プラテン１７ｃは、例えば、プラテン１６に載置された記録媒体５を巻き取る巻き取り装置（図示せず）に記録媒体５を案内するものである。下流側プラテン１７ｃは、横断面円弧状に形成されている。下流側プラテン１７ｃは、メインプラテン１７ａから離れるほど下方に向かうように湾曲している。
【００１８】
図１に示すように、印刷装置１０は、ヘッド移動機構３１と、媒体搬送機構３２とを備えている。ヘッド移動機構３１は、プラテン１６に載置された記録媒体５に対してインクヘッド３５を相対的に主走査方向Ｙに移動させる機構である。本実施形態では、ヘッド移動機構３１は、インクヘッド３５を主走査方向Ｙに移動させる。なお、ヘッド移動機構３１の構成は特に限定されない。本実施形態では、ヘッド移動機構３１は、ガイドレール２０と、プーリ２１と、プーリ２２と、無端状のベルト２３と、第１駆動モータ２４と、キャリッジ３０とを有している。ガイドレール２０は、キャリッジ３０の主走査方向Ｙへの移動をガイドするものである。図２に示すように、ガイドレール２０は、プラテン１６（詳しくは、メインプラテン１７ａ）の上方に配置されている。図１に示すように、ガイドレール２０は、主走査方向Ｙに延びている。プーリ２１は、ガイドレール２０の左端部分に設けられている。プーリ２２は、ガイドレール２０の右端部分に設けられている。ベルト２３は、プーリ２１とプーリ２２とに巻き掛けられている。本実施形態では、右側のプーリ２２には、第１駆動モータ２４が接続されている。この場合、右側のプーリ２２が駆動プーリであり、左側のプーリ２１が従動プーリである。ただし、第１駆動モータ２４は、左側のプーリ２１に接続されていてもよい。本実施形態では、第１駆動モータ２４が駆動して、プーリ２１が回転することで、プーリ２１とプーリ２２との間においてベルト２３が走行する。
【００１９】
キャリッジ３０は、ベルト２３に取り付けられている。図２に示すように、キャリッジ３０は、ガイドレール２０に係合しており、ガイドレール２０に摺動自在に設けられている。図１に示すように、キャリッジ３０には、インクヘッド３５が搭載されている。本実施形態では、ヘッド移動機構３１は、第１駆動モータ２４の駆動によってベルト２３が走行して、キャリッジ３０が主走査方向Ｙに移動することに伴い、キャリッジ３０に搭載されたインクヘッド３５を主走査方向Ｙに移動させる。
【００２０】
媒体搬送機構３２は、プラテン１６に載置された記録媒体５をインクヘッド３５に対して相対的に副走査方向Ｘに移動させるものである。ここでは、媒体搬送機構３２は、プラテン１６に載置された記録媒体５を副走査方向Ｘに移動させる。なお、媒体搬送機構３２の構成は特に限定されない。本実施形態では、媒体搬送機構３２は、グリットローラ２５と、ピンチローラ２６と、第２駆動モータ２７（図５参照）とを有している。図２に示すように、グリットローラ２５は、プラテン１６のメインプラテン１７ａに設けられている。ここでは、グリットローラ２５の少なくとも一部は、メインプラテン１７ａに埋設されている。ピンチローラ２６は、記録媒体５を上から押えつけるものである。ピンチローラ２６は、プラテン１６のメインプラテン１７ａの上方であって、グリットローラ２５の上方に配置されている。ピンチローラ２６は、グリットローラ２５と上下方向Ｚに対向する位置に設けられている。ピンチローラ２６は、上下方向Ｚに移動可能に構成されている。なお、グリットローラ２５およびピンチローラ２６のそれぞれの設置位置および数は特に限定されない。本実施形態では、図１に示すように、グリットローラ２５およびピンチローラ２６は、プラテン１６の左端部および右端部にそれぞれ配置されている。
【００２１】
本実施形態では、図５に示すように、第２駆動モータ２７は、グリットローラ２５に接続されている。グリットローラ２５とピンチローラ２６との間に記録媒体５が挟まれた状態で、第２駆動モータ２７が駆動してグリットローラ２５が回転すると、記録媒体５は副走査方向Ｘに搬送される。
【００２２】
図３は、キャリッジ３０の記録媒体５と対向する側の面（本実施形態では下面）の構成を示す模式図である。図３に示すように、印刷装置１０は複数のインクヘッド３５を備えている。インクヘッド３５はインクを吐出するものである。インクヘッド３５は、キャリッジ３０に搭載されており、キャリッジ３０の下面に保持されている。図１に示すように、インクヘッド３５は、プラテン１６よりも上方に配置され、キャリッジ３０を介してガイドレール２０に摺動自在に設けられている。インクヘッド３５は、ヘッド移動機構３１によってガイドレール２０に沿って主走査方向Ｙに移動する。図３に示すように、インクヘッド３５の底面には、副走査方向Ｘに並んだ複数のノズル３６が形成されている。これら複数のノズル３６からインクが吐出される。本実施形態では、インクヘッド３５の数は、４つである。しかしながら、インクヘッド３５の数は特に限定されない。４つのインクヘッド３５は、主走査方向Ｙに並んで配置されている。例えば、４つのインクヘッド３５からそれぞれ異なる色調のインクが吐出される。
【００２３】
なお、本実施形態では、複数のインクヘッド３５は、それぞれ図示しないインク供給路によって、インクカートリッジ３７（図１参照）に接続されている。インクカートリッジ３７は、例えば印刷本体１０ａの左端部に着脱自在に配置されている。なお、インクの材料は特に限定されず、従来から印刷装置のインクの材料として用いられている各種の材料を使用することができる。上記インクは、例えば、ソルベント系（溶剤系）顔料インクや水性顔料インクであってもよいし、水性染料インク、あるいは、紫外線を受けて硬化する紫外線硬化型顔料インクなどであってもよい。
【００２４】
図１に示すように、印刷装置１０は、操作パネル４０を備えている。操作パネル４０は、利用者が印刷に関する設定を行うものである。操作パネル４０の位置は特に限定されない。本実施形態では、操作パネル４０は、印刷本体１０ａの右側の前面に設けられている。図４は、操作パネル４０を示す模式図である。図４に示すように、操作パネル４０は、印刷表示画面４１と、印刷操作部４２とを備えている。
【００２５】
印刷表示画面４１には、印刷の処理に関する情報が表示される。ここで、「処理」とは、印刷に関する処理のことをいう。例えば、処理には、印刷、クリーニング、フラッシングなどが含まれる。印刷表示画面４１の構成は特に限定されない。例えば、印刷表示画面４１は、文字のみが表示されるものであってもよいし、文字の他に、画像などが表示されるものであってもよい。印刷表示画面４１は、例えば、ＬＣＤ（Ｌｉｑｕｉｄ  Ｃｒｙｓｔａｌ  Ｄｉｓｐｌａｙ）である。本実施形態では、印刷表示画面４１には、１６文字が表示可能な行が２行表示される。すなわち、印刷表示画面４１には、合計３２文字が表示可能である。
【００２６】
印刷操作部４２は、印刷に関する設定をする際に、利用者が、実行したい処理や処理に必要なパラメータなどを入力するためのものである。なお、本実施形態では、印刷操作部４２は、本発明の「操作部」に対応している。印刷操作部４２の構成は特に限定されない。ここでは、印刷操作部４２は、複数のキーを備えている。ここで、キーとはボタンのことである。本実施形態では、印刷操作部４２は、サブ電源キー４３と、ファンクションキー４４と、メニューキー４５と、エンターキー４６と、ポーズキー４７と、セットアップキー４８と、カーソルキー４９とを有している。
【００２７】
サブ電源キー４３は、印刷装置１０の待機状態のＯＮまたはＯＦＦを設定するボタンである。ファンクションキー４４は、ファンクションメニュー画面を印刷表示画面４１に表示するボタンである。ここで、ファンクションメニュー画面とは、例えば、テストプリントの実行、クリーニングの実行、印刷範囲の設定などが表示される画面である。メニューキー４５は、メインメニュー画面を印刷表示画面４１に表示するボタンである。ここで、メインメニュー画面とは、例えば印刷装置４０に関する型番、ファームウェアのバージョン、ネットワークに関する情報、各種パラメータの設定などが表示される画面である。エンターキー４６は、印刷表示画面４１に表示された複数の処理の中から、実行したい処理の決定、および、実行したい処理のパラメータなどの決定を行うボタンである。本実施形態では、エンターキー４６は、本発明の「決定ボタン」の一例である。ポーズキー４７は、印刷中、一時的に印刷を停止するボタンである。セットアップキー４８は、例えば印刷範囲の設定の際に、決定を入力するためのキーである。
【００２８】
カーソルキー４９とは、印刷表示画面４１に表示された複数の処理から、実行したい処理を選択するボタンであり、かつ、各処理のパラメータの値を選択または変更するボタンである。カーソルキー４９の構成は特に限定されない。本実施形態では、カーソルキー４９は、上ボタン４９Ｕと、下ボタン４９Ｄと、左ボタン４９Ｌと、右ボタン４９Ｒとを有している。利用者は、上ボタン４９Ｕ、下ボタン４９Ｄ、左ボタン４９Ｌ、および、右ボタン４９Ｒを適宜操作することで、実行したい処理の選択や、各処理の必要なパラメータの値の選択または変更をすることができる。
【００２９】
図５は、印刷システム１００のブロック図である。図５に示すように、印刷装置１０は、印刷制御装置５０を備えている。印刷制御装置５０は、記録媒体５への印刷を制御するものである。印刷制御装置５０の構成は特に限定されない。印刷制御装置５０は、例えばマイクロコンピュータからなっている。印刷制御装置５０は、中央処理装置（ＣＰＵ）と、ＣＰＵが実行するプログラムなどを格納したＲＯＭと、ＲＡＭなどを備えている。ここでは、印刷制御装置５０は、マイクロコンピュータ内に保存されたプログラムを使用して、印刷に関する制御を行う。本実施形態では、印刷制御装置５０は、印刷本体１０ａの内部に設けられている。しかしながら、印刷制御装置５０は、印刷本体１０ａの内部に設けられていなくてもよく、例えば、印刷本体１０ａの外部に設置されたコンピュータなどであってもよい。この場合、印刷制御装置５０は、有線または無線を介して印刷本体１０ａと通信可能に接続されている。
【００３０】
本実施形態では、印刷制御装置５０は、ヘッド移動機構３１の第１駆動モータ２４と、媒体搬送機構３２の第２駆動モータ２７と、インクヘッド３５と、操作パネル４０（詳しくは、印刷表示画面４１および印刷操作部４２）と通信可能に接続されている。印刷制御装置５０は、第１駆動モータ２４、第２駆動モータ２７、インクヘッド３５、および、操作パネル４０を制御する。印刷制御装置５０は、ヘッド移動機構３１の第１駆動モータ２４の駆動を制御することで、プーリ２２の回転、および、ベルト２３（図１参照）の走行を制御する。このことで、印刷制御装置５０は、インクヘッド３５における主走査方向Ｙへの移動を制御する。印刷制御装置５０は、媒体搬送機構３２の第２駆動モータ２７の駆動を制御してグリットローラ２５の回転を制御することで、プラテン１６に載置された記録媒体５における副走査方向Ｘへの移動を制御する。印刷制御装置５０は、インクヘッド３５がインクを吐出するタイミングなどを制御する。
【００３１】
本実施形態では、印刷制御装置５０は、印刷記憶部５１と、表示制御部５２と、印刷処理実行部５３と、印刷制御部５４とを備えている。なお、上述した印刷制御装置５０の各部は、ソフトウェアによって構成されていてもよいし、ハードウェアによって構成されていてもよい。例えば、上述した各部は、プロセッサによって行われるものであってもよいし、回路に組み込まれるものであってもよい。
【００３２】
表示制御部５２は、印刷表示画面４１に印刷に関する情報を表示するものである。本実施形態では、表示制御部５２は、利用者による印刷操作部４２の操作に基づいて、印刷表示画面４１に印刷に関する情報を表示する。
【００３３】
印刷処理実行部５３は、利用者によって選択された処理を実行する。ここでは、印刷処理実行部５３は、操作パネル４０によって設定された処理を実行するものである。例えば、印刷処理実行部５３は、操作パネル４０のエンターキー４６が押されることで、エンターキー４６が押される前までに設定された処理を実行する。
【００３４】
印刷制御部５４は、プラテン１６に載置された記録媒体５に印刷を行う際の制御をするものである。具体的には、印刷制御部５４は、プラテン１６に載置された記録媒体５を順次前方に移動させると共に、インクヘッド３５を主走査方向Ｙに移動させながら、インクヘッド３５のノズル３６（図３参照）からインクを吐出させる。
【００３５】
以上、印刷装置１０の構成について説明した。ところで、本実施形態に係る印刷装置１０では、印刷に関する処理を実行する際、図４に示すように、操作パネル４０の印刷操作部４２の複数のキーを利用者が操作して、実行したい処理を選択し、かつ、実行したい処理に必要なパラメータの値が設定されることで、その処理が実行される。例えば、印刷操作部４２を操作することによって実行可能な処理が複数存在ことがあり得る。ここでは、これら複数の処理のうちの５つの処理を、例えば、所定の第１の処理、第２の処理、第３の処理、第４の処理、および、第５の処理と適宜称する。第１〜第５の処理とは、印刷装置１０の印刷操作部４２が複数回操作された場合に印刷制御装置５０が実行する処理のことである。例えば、第１の処理〜第５の処理は、メニューキー４５が押されることで印刷表示画面４１に表示されるメインメニュー画面において、選択可能な処理である。そして、メインメニュー画面に表示された第１の処理〜第５の処理の中から、カーソルキー４９を操作することで、１つの処理を選択する。
【００３６】
例えば、第１の処理を選択する場合、カーソルキー４９を利用者が操作することで、印刷表示画面４１において第１の処理を選択する。そして、第１の処理が選択された状態で、エンターキー４６が押されることで、第１の処理の選択が決定される。次に、第１の処理を実行するに際して、設定が必要なパラメータがある場合には、パラメータを選択する画面が印刷表示画面４１に表示される。利用者は、カーソルキー４９を操作することで、パラメータの値を選択し、エンターキー４６を押すことで、パラメータの値が決定される。本実施形態では、設定が必要なパラメータの数の分、カーソルキー４９の操作と、エンターキー４６の操作とが行われる。例えば、第１の処理が選択されている場合、設定が必要なパラメータの設定が終了した後、第１の処理が実行される。
【００３７】
本実施形態では、エンターキー４６が押される毎に、印刷処理実行部５３は、コマンドを作成する。例えば、第１の処理に関して、印刷表示画面４１に表示されたメインメニュー画面において、第１の処理が選択されてエンターキー４６が押されることで、印刷処理実行部５３は、第１コマンドを作成する。次に、パラメータの値を決定する際、カーソルキー４９が操作されて、エンターキー４６が押されることで、印刷処理実行部５３は、第２コマンドを作成する。このように、第１の処理は、複数のコマンドによって構成されている。本実施形態では、第２の処理〜第５の処理も複数のコマンドによって構成されている。ただし、第１の処理〜第５の処理において、構成されるそれぞれのコマンドの数は、複数であれば、特に限定されない。第１の処理〜第５の処理のそれぞれのコマンドの数は、同じであってもよいし、異なっていてもよい。
【００３８】
なお、本実施形態では、第１コマンドおよび第２コマンドは、それぞれ複数の信号を送信することで実行されるように構成されていてもよい。ここでは、第１コマンドおよび第２コマンドを実行するために利用される複数の信号のことを「操作信号」という。操作信号は、利用者が操作パネル４０の印刷操作部４２の複数のキーのうち、１つのキーを操作したときに送信される信号である。例えば、利用者が印刷操作部４２のカーソルキー４９の下ボタン４９Ｄを押したとき、下ボタン４９Ｄを押したことを知らせる操作信号が送信される。本実施形態では、例えば、ファンクションキー４４、カーソルキー４９の下ボタン４９Ｄ、カーソルキー４９の右ボタン４９Ｒ、エンターキー４６が順に押されることで、第１コマンドが実行されるとする。この場合、ファンクションキー４４が押されたことを知らせる操作信号、下ボタン４９Ｄが押されたことを知らせる操作信号、右ボタン４９Ｒが押されたことを知らせる操作信号、および、エンターキー４６が押されたことを知らせる操作信号が順に送信されることで、第１コマンドが実行されたことと同様の処理が実行される。本実施形態では、操作信号自体には、操作した結果が示されているのみである。しかしながら、複数の操作信号が順に送信されることで、コマンドと同様の処理が実行されることとなる。すなわち、ここでは、複数の操作信号が順を成すことで、特定のコマンドと同様の処理が実行される。
【００３９】
このように、操作パネル４０を使用して、複数のコマンドを有する第１の処理〜第５の処理の何れかの処理を実行する際、利用者は、操作パネル４０の印刷操作部４２を複数回操作しなければならなかった。また、同じ処理を複数回実行する場合であっても、その都度、印刷操作部４２を複数回操作しなければならなかった。そのため、利用者にとって、印刷操作部４２の操作が煩わしいことがあった。
【００４０】
そこで、本実施形態では、操作パネル４０の印刷操作部４２の操作をすることなく、第１の処理〜第５の処理を実行することを、外部操作装置６０が行う。次に、外部操作装置６０について説明する。図１に示すように、外部操作装置６０は、印刷装置１０に通信可能に接続されており、印刷装置１０における実行したい処理を決定するためのものである。外部操作装置６０は、印刷装置１０と別体である。本実施形態では、外部操作装置６０は、操作パネル４０を利用して設定され得る処理を設定することができる。図６は、外部操作装置６０の模式図である。図６に示すように、外部操作装置６０は、本体６１と、表示画面７０と、外部操作部８０と、制御装置９０（図５参照）とを備えている。
【００４１】
本実施形態では、本体６１の形状は、矩形状である。しかしながら、本体６１の形状は特に限定されない。ここでは、平面視において、本体６１の表面積は、操作パネル４０の表面積よりも小さい。しかしながら、平面視において、本体６１の表面積は、操作パネル４０の表面積と同じであってもよいし、操作パネル４０の表面積よりも大きくてもよい。
【００４２】
表示画面７０は、印刷の処理に関する情報が表示される。例えば、表示画面７０には、操作パネル４０の印刷表示画面４１（図４参照）に表示された情報が表示される。本実施形態では、表示画面７０は、本体６１に設けられている。しかしながら、表示画面７０は、本体６１とは別体であってもよい。なお、表示画面７０の構成は特に限定されない。例えば、表示画面７０は、文字のみが表示されるものであってもよいし、文字の他に画像などが表示されるものであってもよい。例えば、表示画面７０は、印刷表示画面４１と同様に、ＬＣＤである。ここでは、表示画面７０には、１６文字が表示可能な行が２行表示される。
【００４３】
外部操作部８０は、利用者が操作するものであり、印刷に関する処理の設定をする際に、利用者が実行したい処理を決定するものである。本実施形態では、操作パネル４０と異なり、外部操作部８０を使用して、各処理のパラメータは設定されない。各処理のパラメータは、制御装置９０の後述する記憶部９１（図５参照）に記憶される。外部操作部８０は、本体６１に設けられている。しかしながら、外部操作部８０は、本体６１と別体であってもよい。なお、外部操作部８０の構成は特に限定されない。ここでは、外部操作部８０は、複数のボタンを備えている。本実施形態では、外部操作部８０は、第１の処理実行ボタン８１と、第２の処理実行ボタン８２と、第３の処理実行ボタン８３と、第４の処理実行ボタン８４と、第５の処理実行ボタン８５とを有している。第１の処理実行ボタン８１は、上述した第１の処理を実行するボタンである。第２の処理実行ボタン８２は、上述した第２の処理を実行するボタンであり、第３の処理実行ボタン８３は、上述した第３の処理を実行するボタンである。また、第４の処理実行ボタン８４は、上述した第４の処理を実行するボタンであり、第５の処理実行ボタン８５は、上述した第５の処理を実行するボタンである。ここでは、第１〜第５の処理とは、それぞれ異なる処理のことである。そのため、本実施形態では、外部操作部８０を操作することで、５種類の処理を実行することが可能である。ここでは、外部操作部８０は、５つの実行ボタンを備えているが、外部操作部８０が備える実行ボタンの数は特に限定されない。
【００４４】
図５に示すように、制御装置９０は、印刷装置１０の印刷に関する処理を指定するものである。ここでは、制御装置９０は、外部操作部８０の操作態様に基づいて、印刷装置１０に処理を実行させる。ここで、「操作態様」とは、利用者が外部操作部８０を操作したときの操作内容のことをいう。本実施形態では、「操作態様」とは、外部操作部８０の第１〜第５処理実行ボタン８１〜８５の何れかを利用者が押したときの操作内容のことである。制御装置９０は、利用者によって押された処理実行ボタン８１〜８５に基づいて、印刷装置１０に処理を実行させる。
【００４５】
制御装置９０の構成は特に限定されない。本実施形態では、制御装置９０は、マイコンボードによって構成されている。ここでは、本体６１および制御装置９０は、マイコンボードによって構成されている。制御装置９０は、ＣＰＵと、ＲＡＭと、ＲＯＭなどを備えている。本実施形態では、制御装置９０は、本体６１に設けられている。しかしながら、制御装置９０は、本体６１に設けられていなくてもよく、例えば、本体６１と別体であり、無線または有線を介して、本体６１に通信可能に接続されていてもよい。
【００４６】
本実施形態では、制御装置９０は、印刷装置１０の印刷制御装置５０と通信可能に接続されている。制御装置９０は、印刷制御装置５０と有線で接続されていてもよいし、無線で接続されていてもよい。本実施形態では、制御装置９０は、表示画面７０および外部操作部８０と通信可能に接続されている。制御装置９０は、表示画面７０および外部操作部８０を制御する。
【００４７】
本実施形態では、制御装置９０は、記憶部９１と、操作態様検出部９１ａと、処理実行部９２と、表示変換部９３と、を備えている。なお、上述した制御装置９０の各部は、ソフトウェアによって構成されていてもよいし、ハードウェアによって構成されていてもよい。例えば、上述した各部は、プロセッサによって行われるものであってもよいし、回路に組み込まれるものであってもよい。記憶部９１には、上述した第１の処理〜第５の処理をそれぞれ実行するための複数のコマンドなどが記憶されている。また、記憶部９１には、第１の処理〜第５の処理のそれぞれで指定されるパラメータが記憶されている。なお、記憶部９１へのコマンドおよびパラメータの記憶は、例えば、外部操作装置６０に通信可能に接続されたパーソナルコンピュータによって行われてもよい。
【００４８】
操作態様検出部９１ａは、利用者による外部操作部８０の操作態様を検出する。言い換えると、操作態様検出部９１ａは、外部操作部８０の操作態様が第１〜第５の処理のうちどの処理に関する態様であるかを検出する。ここでは、第１の処理に対応した操作態様のことを第１操作態様とし、第１操作態様とは、第１の処理実行ボタン８１が操作されたときの態様である。同様に、第２〜第５の処理に対応した操作態様のことを、それぞれ第２〜第５操作態様とする。そして、第２〜第５操作態様とは、それぞれ第２〜第５の処理実行ボタン８２〜８５が操作されたときの態様である。例えば、操作態様検出部９１ａは、第１の処理実行ボタン８１が操作されたことで、外部操作部８０の操作態様が第１操作態様であることを検出する。
【００４９】
本実施形態では、処理実行部９２は、第１の処理〜第５の処理の何れかの処理を実行するものである。処理実行部９２は、操作態様検出部９１ａによって検出された操作態様に基づいて、第１の処理〜第５の処理の何れかを実行する。ここでは、処理実行部９２は、利用者が外部操作部８０を操作することで、第１の処理〜第５の処理の何れかの処理に関する情報を印刷制御装置５０に送信する。本実施形態では、処理実行部９２は、第１の処理実行部９５と、第２の処理実行部９６と、第３の処理実行部９７と、第４の処理実行部９８と、第５の処理実行部９９とを備えている。第１の処理実行部９５は、操作態様検出部９１ａによって検出された操作態様が第１操作態様である場合、第１の処理を印刷装置１０に実行させる。言い換えると、第１の処理実行部９５は、利用者によって第１の処理実行ボタン８１が操作されることによって、第１の処理を実行する。同様に、第２〜第５の処理実行部９６〜９９は、それぞれ操作態様検出部９１ａによって検出された操作態様が第２〜第５操作態様である場合、第２〜第５の処理を印刷装置１０に実行させる。言い換えると、第２の処理実行部９６は、利用者によって第２の処理実行ボタン８２が操作されることによって、第２の処理を実行する。第３の処理実行部９７は、利用者によって第３の処理実行ボタン８３が操作されることによって、第３の処理を実行する。第４の処理実行部９８は、利用者によって第４の処理実行ボタン８４が操作されることによって、第４の処理を実行する。第５の処理実行部９９は、利用者によって第５の処理実行ボタン８５が操作されることによって、第５の処理を実行する。なお、外部操作部８０のボタンの数と同じ数の処理実行部が存在する。本実施形態では、処理実行ボタン８１〜８５は、５つあるため、５つの処理実行部９５〜９９が存在する。例えば、処理実行ボタンの数が８つの場合、８つの第１〜第８の処理実行部が存在する。
【００５０】
図７は、外部操作装置６０を使用して、第１の処理を実行する手順を示したフローチャートである。次に、外部操作装置６０を使用して、第１の処理を実行する手順について、図７のフローチャートを用いて説明する。ここでは、第１の処理実行部９５による第１の処理の実行について説明する。なお、第２の処理実行部９６による第２の処理の実行、第３の処理実行部９７による第３の処理の実行、第４の処理実行部９８による第４の処理の実行、および、第５の処理実行部９９による第５の処理の実行の各手順は、第１の処理実行部９５による第１の処理の実行の手順と同様のため、ここでの説明は省略する。
【００５１】
まず、図７のステップＳ１０１では、利用者が外部操作部８０の第１の処理実行ボタン８１（図６参照）を押す。第１の処理実行ボタン８１が押されることで、操作態様検出部９１ａは、外部操作部８０の操作態様を検出する。ここでは、第１の処理実行ボタン８１が押されたため、操作態様検出部９１ａは、外部操作部８０の操作態様が第１操作態様であることを検出する。そして、第１の処理実行部９５は、第１操作態様に対応した第１の処理を実行する。次に、図７のステップＳ１０３では、第１の処理実行部９５は、記憶部９１に記憶された第１の処理の第１コマンドを実行する。この第１コマンドは、操作パネル４０において、第１の処理が選択された状態で、エンターキー４６（図４参照）が押されたときに作成されるコマンドと同様である。本実施形態では、第１の処理実行部９５は、印刷制御装置５０に対して、第１コマンドを送信する。
【００５２】
本実施形態では、第１コマンドによる処理の実行は、複数の操作信号を送信することで実行されるように構成されていてもよい。例えば、第１コマンドによる処理の実行が、操作パネル４０のファンクションキー４４、下ボタン４９Ｄ、右ボタン４９Ｒ、エンターキー４６が順に押されることで実行される場合、ステップＳ１０３では、第１の処理実行部９５は、ファンクションキー４４が押されたことを知らせる操作信号、下ボタン４９Ｄが押されたことを知らせる操作信号、右ボタン４９Ｒが押されたことを知らせる操作信号、および、エンターキー４６が押されたことを知らせる操作信号を順に印刷制御装置５０に送信する。なお、第１コマンドを実行する際に利用される複数の操作信号は、記憶部９１に記憶されている。ここでは、第１の処理実行部９５は、記憶部９１に記憶された第１コマンドの複数の操作信号を順に送信することで、第１コマンドを実行したときと同様の処理を実行する。
【００５３】
次に、図７のステップＳ１０５では、第１の処理実行部９５は、記憶部９１に記憶された第１の処理の第２コマンドを実行する。この第２コマンドは、操作パネル４０において、第１の処理の必要なパラメータが設定された状態で、エンターキー４６が押されたときに作成されるコマンドと同様である。本実施形態では、第１の処理実行部９５は、印刷制御装置５０に対して、第２コマンドを送信する。
【００５４】
本実施形態では、第２コマンドによる処理の実行は、第１コマンドによる処理の実行と同様に、複数の操作信号を送信することによって実行されるように構成されていてもよい。第２コマンドによる処理の実行が、操作パネル４０の印刷操作部４２の複数のキーまたはボタンの何れかを複数回押すことで実行される場合、ステップＳ１０５では、第１の処理実行部９５は、上述の複数のキーまたはボタンの何れかが押されたことを知らせる操作信号を順に印刷制御装置５０に送信する。なお、第２コマンドを実行する際に利用される複数の操作信号は、記憶部９１に記憶されている。ここでは、第１の処理実行部９５は、記憶部９１に記憶された第２コマンドの複数の操作信号を順に送信することで、第２コマンドを実行したときと同様の処理を実行する。
【００５５】
以上のようにして、外部操作装置６０を使用して、第１の処理を実行することができる。なお、第１コマンドおよび第２コマンドを印刷制御装置５０が受信した後、印刷処理実行部５３は、第１コマンドを実行し、第１コマンドが実行された後に、第２コマンドを実行する。本実施形態では、印刷制御装置５０は、第１コマンドの複数の操作信号、および、第２コマンドの複数の操作信号を受信した後、印刷処理実行部５３は、第１コマンドの複数の操作信号と同様の処理を順に実行し、その後、第２コマンドの複数の操作信号と同様の処理を順に実行する。このことによって、印刷装置１０において、第１の処理が実行される。
【００５６】
図４の表示変換部９３は、操作パネル４０の印刷表示画面４１（図４参照）に表示される言語とは異なる言語で、印刷に関する情報を表示画面７０（図６参照）に表示する。例えば、印刷表示画面４１に表示される言語を第１の言語とする。表示画面７０に表示される言語を第２の言語とする。第１の言語は、例えば日本語である。第２の言語は、第１の言語とは異なる言語であり、例えば英語、フランス語、ドイツ語、イタリア語、ポルトガル語、スペイン語、ポーランド語などの言語の何れかである。この第２の言語に関する情報は、記憶部９１に記憶されている。ここでは、表示変換部９３は、印刷表示画面４１に表示されている内容を、第２の言語で表示画面７０に表示する。
【００５７】
図８は、印刷表示画面４１の模式図であり、印刷に関する情報が第１の言語で表示されている状態を示す図である。図９は、表示画面７０の模式図であり、印刷に関する情報が第２の言語で表示されている状態を示す図である。例えば、図８に示すように、印刷表示画面４１には、第１の言語（本実施形態では、日本語）による印刷に関する情報１０１が表示されている。このとき、制御装置９０には、印刷表示画面４１に表示される印刷に関する情報が送信される。このとき、表示変換部９３は、印刷に関する情報を受信し、第２の言語（本実施形態では、英語）になるように、受信した印刷に関する情報を変換する。本実施形態では、記憶部９１には、第２の言語に変換するための辞書が記憶されている。そのため、表示変換部９３は、記憶部９１に記憶された辞書を利用して、受信した印刷に関する情報を、第２の言語による印刷に関する情報１０２（図９参照）に変換する。そして、表示変換部９３は、第２の言語に変換した印刷に関する情報１０２を表示画面７０に表示する。
【００５８】
このように、本実施形態では、印刷装置１０の操作パネル４０で対応していない言語であっても、外部操作装置６０の表示画面７０に、上記対応していない言語で印刷に関する情報を表示することができる。よって、あらゆる言語に対応可能な印刷システム１００を実現することができる。例えば、印刷装置１０の操作パネル４０に対応していない言語を対応させるためには、印刷制御装置５０などを改良することが考えられる。しかしながら、本実施形態では、外部操作装置６０を印刷装置１０に接続することで、上記対応していない言語に対応させることができるため、改良コストを削減することができる。
【００５９】
以上、本実施形態では、利用者は、外部操作部８０を操作することで、例えば、第１の処理を実行することができる。ここで、第１の処理とは、操作パネル４０の印刷操作部４２を複数回操作することで実行される処理である。よって、利用者は、操作パネル４０の印刷操作部４２を操作して第１の処理を実行する場合と比較して、外部操作部８０を操作することで、操作回数を少なくして第１の処理を実行することができる。したがって、利用者による操作の煩わしさを抑制することができる。
【００６０】
図６に示すように、例えば、外部操作部８０は、第１の処理の設定を実行する第１の処理実行ボタン８１を有している。第１の処理実行部９５は、第１の処理実行ボタン８１が利用者によって押されることで、第１の処理を実行する。操作パネル４０の印刷操作部４２を操作して第１の処理を実行する場合には、操作回数が複数回になる。しかしながら、本実施形態では、利用者が第１の処理実行ボタン８１を１回押すことで、複数のコマンドを有する第１の処理を実行することができる。よって、利用者による操作の煩わしさを抑制することができる。
【００６１】
本実施形態では、例えば、第１の処理の実行は、操作パネル４０の印刷操作部４２（図４参照）が操作されることで実行される第１のコマンドと第２のコマンドが少なくとも順に実行されることで実行される。第１の処理実行部９５は、第１のコマンドを実行した後に、第２のコマンドを少なくとも実行する。このように、外部操作装置６０によって実行される第１の処理の内容は、操作パネル４０によって実行される第１の処理の内容と同じであり、第１の処理は、第１コマンドと第２コマンドとを有する。すなわち、本実施形態では、第１の処理実行部９５による第１の処理の実行は、操作パネル４０による利用者の操作手順と同じ手順で行われることになる。
【００６２】
例えば、第１の処理を実行するためには、上述の第１コマンドおよび第２コマンドを実行せずに、第１の処理のパラメータが設定されたプログラムを実行することで、第１の処理を実行することが可能である。しかしながら、従前の型が古い印刷装置では、上記プログラムに対応していないことがあり得る。しかしながら、本実施形態では、外部操作装置６０を使用することで、操作パネル４０で実行されるコマンドと同様のコマンドが順に実行されるため、操作パネル４０を操作したときと同じ制御が行われることになる。本実施形態では、外部操作装置６０を操作することで、操作パネル４０を遠隔で操作するような制御をすることができる。よって、型が古い印刷装置であっても、外部操作装置６０を接続することで、外部操作装置６０を使用することができる。したがって、型が古い印刷装置であっても、利用者による操作の煩わしさを抑制することができる。
【００６３】
本実施形態では、外部操作装置６０の外部操作部８０を操作することで、例えば、第１の処理〜第５の処理のうちの何れかの処理を実行することが可能である。そのため、利用者にとって操作が煩わしい処理が複数存在した場合であっても、外部操作部８０を操作することで、複数の処理を簡単に実行させることができる。
【００６４】
本実施形態では、例えば、第１の処理実行部９５は、第１の処理に関する情報を表示画面７０（図６参照）に表示する。同様に、第２の処理実行部９６は、第２の処理に関する情報を表示画面７０に表示し、第３の処理実行部９７は、第３の処理に関する情報を表示画面７０に表示する。また、第４の処理実行部９８は、第４の処理に関する情報を表示画面７０に表示し、第５の処理実行部９９は、第５の処理に関する情報を表示画面７０に表示する。ここでは、例えば、第１の処理実行ボタン８１が押されることで、表示画面７０に第１の処理に関する情報が表示されるため、どの処理が実行されているかを利用者は表示画面７０を目視することで認識し易い。
【００６５】
本実施形態では、第１コマンドおよび第２コマンドによる処理の実行は、複数の操作信号を順に送信することで実行される。操作信号は、印刷操作部４２の複数のキーおよびボタンの何れが操作されたときに、操作されたキーまたはボタンを知らせる信号である。例えば、外部操作装置６０に接続される印刷装置１０が、機種が異なる印刷装置に変更された場合、第１コマンドおよび第２コマンドの形式が変更される場合があり得る。この場合、記憶部９１に記憶された第１コマンドおよび第２コマンドの形式を変更する。しかしながら、本実施形態では、複数の操作信号を順に送信することで、第１コマンドおよび第２コマンドと同様の処理を実行している。そのた、外部操作装置６０に接続された印刷装置１０が、機種が異なる印刷装置に変更された場合であっても、操作信号を変更すればよい。この操作信号の変更は、第１コマンドおよび第２コマンドの形式を変更するよりも容易である。したがって、本実施形態に係る外部操作装置６０は拡張性が高い。
【００６６】
本実施形態では、図６に示すように、本体６１には、表示画面７０、外部操作部８０および制御装置９０が設けられている。このように、表示画面７０と、外部操作部８０と、制御装置９０とは一体的に設けられているため、外部操作装置６０を移動させ易い。したがって、利用者が所望する場所に、外部操作装置６０を移動させ易く、利用者が所望する場所で、外部操作装置６０の外部操作部８０を操作することができる。
【００６７】
本実施形態では、本体６１および制御装置９０は、マイコンボードによって構成されている。マイコンボードは、例えば、パーソナルコンピュータなどと比較すると、小さいものである。よって、外部操作装置６０を比較的狭い場所に設置することが可能であるため、省スペース化を図ることができる。
【００６８】
上記実施形態では、例えば、第１の処理実行部９５は、利用者によって第１の処理実行ボタン８１（図６参照）が操作されることによって、１つの第１の処理を実行していた。しかしながら、処理実行部９５〜９９のそれぞれが実行可能な処理の数は、１つに限定されない。例えば、第１の処理実行部９５は、利用者によって第１の処理実行ボタン８１が操作されることによって、第１の処理を実行した後に、第２の処理を実行するように印刷装置１０に指示するように構成されていてもよい。例えば、第１の処理実行部９５は、第１の処理の実行と、第２の処理の実行との間に、所定の時間待機するように印刷装置１０に指示するように構成されていてもよい。さらに、第１の処理実行部９５は、第１の処理が実行された後に所定の時間が経過後、もう一度、第１の処理を実行するように構成されていてもよい。このことによって、複数の処理を自動かつ連続で実行することができるため、利用者による操作の煩わしさを更に抑制することができる。
【００６９】
例えば、外部操作装置６０は、印刷装置１０に関する情報を受信可能に構成されていてもよく、受信した情報に基づいて、印刷装置１０に自動的に所定の他の処理を実行させてもよい。例えば、印刷装置１０における所定の処理（例えば第１の処理）が終了したとき、印刷制御装置５０は、外部操作装置６０の制御装置９０に所定の処理が終了した旨の終了信号を送信する。なお、ここで、「所定の処理の終了」には、所定の処理が正常に終了した以外にも、所定の処理に対する警告またはエラーが発生して終了した場合が含まれる。外部操作装置６０は、受信した終了信号に基づいた所定の他の処理を印刷装置１０に自動的に実行させる。例えば、記憶部９１には、終了信号に対応した終了処理が記憶されている。終了処理には、例えば電源オフに関するコマンドが含まれる。外部操作装置６０は、終了信号を受信したとき、終了処理に含まれるコマンドを印刷制御装置５０に自動的に送信する。そして、印刷制御装置５０は、受信したコマンドを実行する。ここでは、印刷制御装置５０は、電源オフに関するコマンドを受信したとき、電源オフに関する処理を実行する。このように、所定の処理が行われた後に、電源オフなどの終了処理が自動的に行われるため、利用者による操作の煩わしさを更に抑制することができる。
【００７０】
上記実施形態では、外部操作装置６０は、表示画面７０を備えており、表示画面７０は本体６１に設けられていた。しかしながら、表示画面７０は省略されていてもよい。
【符号の説明】
【００７１】
１０  印刷装置
４０  操作パネル
４１  印刷表示画面
４２  印刷操作部（操作部）
４６  エンターキー（決定ボタン）
６０  外部操作装置
６１  本体
７０  表示画面
８０  外部操作部
８１  第１の処理実行ボタン（実行ボタン）
９０  制御装置
９１  記憶部
９１ａ  操作態様検出部
９２  処理実行部
９３  表示変換部
９５  第１の処理実行部
９６  第２の処理実行部
１００  印刷システム
【図１】
2019098703.tif 000003
【図２】
2019098703.tif 000004
【図３】
2019098703.tif 000005
【図４】
2019098703.tif 000006
【図５】
2019098703.tif 000007
【図６】
2019098703.tif 000008
【図７】
2019098703.tif 000009
【図８】
2019098703.tif 000010
【図９】
2019098703.tif 000011